(57)【要約】【課題】  簡易な構造と少ない部品点数で、表示部の視認性およびデザイン性を向上することが可能な車両用計器の表示装置を提供する。【解決手段】  目盛り５１が配設された表示面５と、透明な部材で形成され、前記表示面上を前記目盛りに沿って移動し、指示値を表示するための指針６と、前記指針の内部に基端側から先端側に向けて光を投射するための光源とを備えた車両用計器の表示装置（４）において、指針（６）の少なくとも先端側部分（６１）が、表示面（５）と平行な平板状に形成されるとともに、前記先端側部分の側面（６２）が粗面で形成され、前記指針の内部に入射された光が、前記側面（６２）で乱反射されるように構成されている。【選択図】    図４
2008196995.tif 000002
【特許請求の範囲】
【請求項１】
目盛りが配設された表示面と、透明な部材で形成され、前記表示面上を前記目盛りに沿って移動し、指示値を表示するための指針と、前記指針の内部に基端側から先端側に向けて光を投射するための光源とを備えた車両用計器の表示装置において、
前記指針の少なくとも先端側部分が、前記表示面と平行な平板状に形成されるとともに、前記先端側部分の側面が粗面で形成され、前記指針の内部に入射された光が、前記側面で乱反射されるように構成されていることを特徴とする車両用計器の表示装置。
【請求項２】
前記先端側部分の側面が、前記表示面と反対側に向いた傾斜面をなし、前記指針の内部に入射された光が、前記表示面側に反射されるように構成されていることを特徴とする請求項１に記載の車両用計器の表示装置。
【請求項３】
前記表示面上の前記傾斜面で反射された光が照射される範囲に、前記目盛りに対応した数字が蛍光性材料により表示されていることを特徴とする請求項２に記載の車両用計器の表示装置。
【発明の詳細な説明】
【技術分野】
【０００１】
本発明は、車両用計器の表示装置に関する。
【背景技術】
【０００２】
自動車等のインストルメントパネルには、走行速度を表示するスピードメータやエンジンの回転数を表示するタコメータ、燃料の残量を示す燃料計等、車両用計器の表示装置が配設されている。これらの表示装置としては、表示面上を目盛りに沿って移動する指針の変位によって指示値を表示するアナログ式の表示装置や、自照式の数字等を点灯させるデジタル式の表示装置が用いられている。数字のみのデジタル表示では、速度など連続的に変化する物理量を感覚的に認識し難いため、目盛りに沿って配設された発光部材の点灯位置を移動させるアナログ的な表示形態を併用したり、アナログ式の表示装置に数字のデジタル表示を併用したりする場合もあるが、構造が複雑になりやすい。
【０００３】
一方、アナログ式の表示装置自体の視認性を向上するために、指針自体を発光させることも提案されている。例えば、特許文献１では、透明部材より形成される指針の前面に、不透明部材を嵌合し、指針の内部に入射した光により不透明部材の周囲を発行させることにより、視認性とデザイン性の向上を図っている。しかし、針部の細い部分を２部品で構成するため、部品点数や組み付け工数が増加し、部品同士の合わせの精度を維持する必要から、製造コストを要する問題がある。
【０００４】
【特許文献１】特開２００５−３００２３５号公報
【発明の開示】
【発明が解決しようとする課題】
【０００５】
本発明はこのような実状に鑑みてなされたものであって、その目的は、簡易な構造と少ない部品点数で、表示部の視認性およびデザイン性を向上することが可能な車両用計器の表示装置を提供することにある。
【課題を解決するための手段】
【０００６】
上記従来技術の有する課題を解決することを目的として、本発明は、目盛りが配設された表示面と、透明な部材で形成され、前記表示面上を前記目盛りに沿って移動し、指示値を表示するための指針と、前記指針の内部に基端側から先端側に向けて光を投射するための光源とを備えた車両用計器の表示装置において、前記指針の少なくとも先端側部分が、前記表示面と平行な平板状に形成されるとともに、前記先端側部分の側面が粗面で形成され、前記指針の内部に入射された光が、前記側面で乱反射されるように構成されている。
【０００７】
本発明の好適な態様においては、前記先端側部分の側面が、前記表示面と反対側に向いた傾斜面をなし、前記指針の内部に入射された光が、前記表示面側に反射されるように構成されている。また、前記表示面上の前記傾斜面で反射された光が照射される範囲に、前記目盛りに対応した数字が蛍光性材料により表示されている。
【発明の効果】
【０００８】
本発明によれば、指針の先端側部分が、透明な部材で表示面と平行な平板状に形成されたことにより、その背後に位置した目盛りまたは該目盛りに付された数字を、指針を透過して視認可能であるとともに、指針の内部に入射された光が側面で乱反射されることで、指針の輪郭が明確に視認され、かつ、その内側に表示される目盛りや数字が強調されることになり、簡単な構成により、表示部の視認性およびデザイン性を向上することが可能となる。
【０００９】
また、前記先端側部分の側面が、前記表示面と反対側に向いた傾斜面をなし、前記指針の内部に入射された光が、前記表示面側に反射されるように構成されている態様では、指針の輪郭の内側に表示される目盛りや数字が、反射光によってライトアップされることになり、個々の数字や目盛りに自照式の発光部材を組込む場合に比べ、低コストで視認性を向上させることができる。さらに、前記表示面上の前記傾斜面で反射された光が照射される範囲に、前記目盛りに対応した数字が蛍光性材料により表示されている態様では、数字の視認性を一層向上させることが可能となる。
【発明を実施するための最良の形態】
【００１０】
以下、本発明の実施形態について、本発明を自動車のスピードメータに実施する場合を例に図面を参照して詳細に説明する。図１は、自動車のインストルメントパネル１を示す斜視図であり、ステアリングコラムが挿通される開口２の上方に、走行速度を表示するスピードメータやエンジンの回転数を表示するタコメータ、燃料の残量を示す燃料計等の計器板が配置されたメータークラスター３が配置されている。
【００１１】
図２は、メータークラスター３のスピードメータ４（表示装置）を示しており、図において、スピードメータ４は、目盛り５１と数字５２が周縁部に沿って配置されている略半円状の表示面５、表示面５の円弧の中心と略等しい位置に回転軸（図示せず）が配設されている指針６、指針６の回転軸周辺を覆うカバー部材７等から構成され、カバー部材７の裏面側には、指針６の内部に、該指針６の基端側から先端側に向けて光を投射するための光源（図示せず）が配設されている。
【００１２】
光源としては、発光ダイオード（ＬＥＤ）が好適であり、この光源は、指針６の内部に配設されていても良いし、指針６の外部、例えば表示面５側に配設されていても良い。後者の場合は、導光部材や反射光学系を介して指針６の内部に光が導かれる。尚、数字５２は目盛り５１の円周内側に配置されている。
【００１３】
指針６は、アクリル等の導光性を有する透明な部材で先細の平板状に形成されている。指針６の表示面５と平行な平坦部６１は鏡面状に仕上げられ、図２に示すように、表示面５を正面から見た場合に、平坦部６１の背後に位置した目盛り５１や数字５２が、透明な平坦部６１を通して視認可能となっている。一方、平坦部６１の周囲を取囲む側面６２は、図４に示すように、表示面５と反対側に向いた傾斜面をなすとともに、表面を粗く仕上げてある。
【００１４】
以上のように構成されたスピードメータ４は、昼間などに、カバー部材７内の光源が消灯状態の場合は、指針６の側面６２に外部から到達した外来光が、該側面６２で乱反射されることで該側面６２が不透明となり、表示面５と反対側を向いた傾斜面をなす側面６２が指針６の輪郭として運転者から視認される。
【００１５】
一方、夜間などに、カバー部材７内の光源を点灯させると、光が基端側６３から指針６内部に進入し、側面６２で乱反射することにより光り、該側面６２が指針６の輪郭として運転者から視認される。また、鏡面状の平坦部６１では光の反射が起こらず透明性が保たれるため、表示面５上の平坦部６１に重なる範囲の目盛り５１や数字５２は、運転者から良好に視認される。
【００１６】
図示例では、指針６が、基端側６３（回転軸側）から先端６４に向けて次第に細くなるように尖らせた笹の葉状に形成されていることで、指針６の先端６４が目盛り５１を指示し、目盛り５１よりも基端側６３寄りに配置された数字５２が、指針６の透明な平坦部６１を通して視認され、かつ、指示されている数字５２が、上記のように乱反射で光っている側面６２（指針６の輪郭）で囲まれることで、強調して表示されることになる。
【００１７】
さらに、図４に示す数字５２を、光が当たった時に光る材料、例えば蛍光性の材料からなる塗料または部材で構成することにより、指針６内部を透過し側面６２で乱反射された光が、平坦部６１の下面を透過して数字５２に到達し、数字５２が光ることによって、該数字５２をより強調して表示することが可能となる。
【００１８】
また、指針６を照らす光源の前面側にカバー部材７が配設されたことによって、前記光源の光がカバー部材７の周縁から表示面５側に漏れ、指針６の基端部付近がライトアップされることにより、スピードメータ４のデザイン性を一層向上させることができる。
【００１９】
以上、本発明の一実施形態について述べたが、本発明は上記実施形態に限定されるものではなく、本発明の技術的思想に基づいて各種の変形および変更が可能である。
【図面の簡単な説明】
【００２０】
【図１】本発明実施形態に係る車両用計器の表示装置を備えたインストルメントパネルを示す斜視図である。
【図２】本発明実施形態に係る車両用計器の表示装置を示す正面図ある。
【図３】本発明実施形態に係る車両用計器の表示装置の指針を示す要部拡大正面図である。
【図４】図３のＡ−Ａ断面図である。
【符号の説明】
【００２１】
１  インストルメントパネル
４  スピードメータ（車両用計器の表示装置）
５  表示面
６  指針
７  カバー部材
５１  目盛り
５２  数字
６１  平坦部
６２  側面
【図１】
2008196995.tif 000003
【図２】
2008196995.tif 000004
【図３】
2008196995.tif 000005
【図４】
2008196995.tif 000006